(57)【要約】      （修正有）【課題】ケース内に収納した回路基板の半田接続を容易にし、更に、薄型タイプのボックス使用時のケーブル引き回しを容易にする。【解決手段】直列ユニット内の金属製の直列ユニット本体１の収納ケースを回路基板１２の収納位置がケース開口部に対し浅い露出位置となるように奥行き方向に分割した本体ケース７とケースカバー８で構成する。収納ケースの背後にケーブルを通す逃し用窪み１０が形成される。【選択図】図１
2008181875.tif 000002
【特許請求の範囲】
【請求項１】
回路基板の収納ケース、前記収納ケースの前面に配置される分岐端子、前記収納ケースの背後に配置される入出力端子を備えた金属製の直列ユニット本体と、前記直列ユニット本体の前面側に着脱自在な合成樹脂製の端子台とを備えた直列ユニットに於いて、
前記直列ユニット本体は、前記収納ケースを奥行き方向に分割した本体ケースとケースカバーで構成し、
前記ケースカバーは、前記本体ケース側に設けた一対の入出力端子に対応して入出力端子カバー部が形成され、該入出力端子カバー部の間を段下げすることで、前記入出力端子に接続する同軸ケーブルを通すための逃がし用窪みを形成したことを特徴とする直列ユニット。
【請求項２】
請求項１記載の直列ユニットに於いて、前記ケースカバーは、カバー頭部とカバーボディ部を供えたＴ型カバー形状を持ち、前記カバー頭部の両側に前記入出力端子カバー部が形成され、該入出力端子カバー部の間を段下げすることで前記逃がし用窪みを形成したことを特徴とする直列ユニット。
【発明の詳細な説明】
【技術分野】
【０００１】
本発明は、部屋の壁面等に設置されてテレビ受像機にテレビ信号を供給する直列ユニットに関する。
【背景技術】
【０００２】
従来、この種の直列ユニットは、例えば図８に示すものがある。図８において、直列ユニット１００は、直列ユニット本体１０１、取付枠１０２及び端子台１０３で構成され、直列ユニット本体１０１の前面に設けたテレビ受像機を接続する分岐端子１０４が端子台１０３の開口部の中に位置する。直列ユニット本体１０１は、図９の背面側の説明図のように、Ｔ型のケース形状をもち、背面に入出力端子１０５を装着している。
【０００３】
図１０は、図８，９の直列ユニットの組立分解図である。直列ユニット本体１０１は、背後に開いたＴ型の本体ケース１０６とケースカバー１０７で構成される。本体ケース１０６には分岐回路を実装した回路基板１０８が収納され、回路基板１０８に分岐端子１０４と入出力端子１０５を各々半田接続している。取付枠１０２は合成樹脂で作られており、取付状態で上下となる位置に取付耳部１０９をビス止めや嵌合等により着脱自在に設け、両側面の上下２ケ所に金属枠に取り付けるための金属枠係止部１１０（図８参照）と、ワイドプレート用の市販の取付枠を取り付けるための取付枠係止部１１１を設けている。
【０００４】
このような直列ユニットの設置方法は、使用するプレートの種類、即ち標準タイプとワイドタイプに応じて、それぞれ異なった取付けを行っている。図１１は標準タイプのプレートを使用した直列ユニットの取付けの一例である。まず直列ユニット１００は１分岐端子のものを例にとっており、壁面やアウトレットボックスの開口部１１２から引き出した入力用の同軸ケーブル１１４と出力用の同軸ケーブル１１６をＦ型接栓で接続する。
【０００５】
続いて直列ユニット１００を壁面やアウトレットボッックスの開口部１１２に木ネジ１１８で取り付ける。最終的に、直列ユニット１００に標準プレート枠１２０を取り付け標準プレート１２２を取り付ける。図１２はワイドタイプのプレートを使用した直列ユニットの取付けの一例である。ワイドプレートを使用する場合には、まず図１３のように、直列ユニット１００の上下の取付耳部１０９をドライバ１２６を使用して取り外し、図１４のように、市販のワイド用取付枠１２８を、直列ユニット１００の両側の上下２ケ所に形成した取付枠係止部１１１に係止して取り付ける。
【０００６】
続いて図１２のように、直列ユニット１００にアウトレットボックス１３２の開口部１３４から引き出した入力用の同軸ケーブル１１４と出力用の同軸ケーブル１１６をＦ型接栓で接続する。続いて直列ユニット１００をアウトレットボッックス１３２の開口部１３４にねじ１３６で取り付ける。最終的に、市販のワイド用取付枠１２８に、同じく市販の化粧カバー１３８を取り付け、更にワイドプレート枠１４０によりワイドプレート１４２を直列ユニット１００の上に取り付ける。
【特許文献１】特開平０８−２６４９８７号公報
【発明の開示】
【発明が解決しようとする課題】
【０００７】
しかしながら、直列ユニットの組立時に本体ケース１０６内に回路基板１０８を嵌め込み、本体ケース１０６内で回路基板１０８と分岐端子１０４及び入出力端子１０５を半田接続するが、回路基板１０８はケース開口部から比較的深い位置にあり、狭い開口部からの作業となるので半田接続が大変煩雑であった。
【０００８】
更にまた、直列ユニットは壁面に埋め込まれたアウトレットボックスに取り付けられるが、近年、アウトレットボックスとして奥行きの薄いものが使用される場合がある。例えば標準タイプは奥行き３３ｍｍとなっているのに対し、薄型タイプは２５ｍｍとなっている。このように薄型のタイプになると、入出力端子１０５に接続される同軸ケーブルをボックス内で引き回すスペースに余裕がなく、直列ユニットをアウトレットボックスに取り付ける作業が困難になる。
【０００９】
本発明は、このような従来の問題点に鑑みてなされたもので、ケース内に収納した回路基板の半田接続を容易にし、更に、薄型タイプのボックス使用時のケーブル引き回しが容易にできるようにした直列ユニットを提供することを目的とする。
【課題を解決するための手段】
【００１０】
この目的を達成するため本発明は次のように構成する。まず本発明の直列ユニットは、回路基板の収納ケース、収納ケースの前面に配置される分岐端子、収納ケースの背後に配置される入出力端子を備えた金属製の直列ユニット本体と、直列ユニット本体の前面側に着脱自在な合成樹脂製の端子台とで構成される。そして、ケースカバーは、本体ケース側に設けた一対の入出力端子に対応して入出力端子カバー部が形成され、この入出力端子カバー部の間を段下げすることで、入出力端子に接続する同軸ケーブルを通すための逃がし用窪みを形成したことを特徴とする。
【００１１】
ここで、ケースカバーは、カバー頭部とカバーボディ部を供えたＴ型カバー形状を持ち、カバー頭部の両側に入出力端子カバー部が形成され、この入出力端子カバー部の間を段下げすることで前記逃がし用窪みを形成する。
【発明の効果】
【００１２】
本発明によれば、本体背後の入出力端子の間に形成された逃し用窪みを通して入出力端子に接続する同軸ケーブルを引き回すことができ、薄型タイプのアウトレットボックスを使用した取付けであっても、十分なケーブル引き回しスペースが確保され、容易に取り付けることができる。更に、直列ユニット本体の収納ケースにおけるケース本体とケースカバーの分割と、収納ケースの逃し用窪みの形成は、ケース本体及びケースカバーをダイカスト合金の成形品としたことで実現される。
【発明を実施するための最良の形態】
【００１３】
図１は本発明による直列ユニットの実施形態の説明図である。図１において、本発明の直列ユニットは、ダイカスト合金により成形された金属製の直列ユニット本体１と、樹脂モールドで成形された端子台２で構成される。直列ユニット本体１はＴ型収納ケース３を備えており、Ｔ型頭部３ａとＴ型ボディ部３ｂを連設している。このＴ型収納ケース３は、奥行き方向で本体ケース７とケースカバー８に分割され、ビス９により固定されている。
【００１４】
本体ケース７側には、設置状態で上下となる位置に取付耳部６が一体に形成されている。また本体ケース７のＴ型頭部３ａの背後下端部には、一対の入出力端子４が本体ケース７側と一体に形成されている。このＴ型頭部３ａの部分でケースカバー８は、入出力端子４の間の中央部に同軸ケーブルを通すための逃し用窪み１０を形成している。またＴ型収納ケース３のＴ型ボディ部３ｂとなる本体ケース７の両側面には、端子台２の係合爪１６を係合する端子台係合部１１が形成されている。
【００１５】
図２は、図１の直列ユニット本体１及び端子台２の組立分解図である。直列ユニット本体１は、本体ケース７とケースカバー８に分割されている。本体ケース７は背後に開口したケース頭部７ａにケースボディ部７ｂを連接したＴ型の収納ケース形状を有し、ケース内にＴ型の回路基板１２を収納している。本体ケース７のケース頭部７ａの背後下端部には、一対の入出力端子４が一体に形成されている。また本体ケース７の下側となる前面側には分岐端子５が２カ所に分けて一体に形成されている。この分岐端子５は後の説明で更に明らかとなる。
【００１６】
図１のＴ型収納ケース３を構成する本体ケース７とケースカバー８の奥行き方向の分割位置は、本体ケース７に図示のように回路基板１２を収納した状態で、ケース開口部の浅い位置に露出して回路基板１２が位置するように本体ケース７とケースカバー８を分割している。ここで回路基板１２の本体ケース７に対する収納位置は、本体ケース７の前部に設けている分岐端子５の背後の端子ピンの回路基板１２に対する半田接続の長さにより決まる。即ち、分岐端子５の背後に設けた端子ピンは規定の長さを備えており、端子ピン５ａのように回路基板１２に挿入した状態で半田接続される。
【００１７】
このため、分岐端子５の端子ピン５ａの長さで決まる回路基板１２の奥行き方向の収納位置に対し、本体ケース７の開口部が例えば１ｍｍ程度高くなるように、図１のＴ型収納ケース３を奥行き方向で分離して、本体ケース７とケースカバー８に分ける。このように本体ケース７の開口部の浅い位置に回路基板１２が位置するように、本体ケース７とケースカバー８を奥行き方向で分割したことで、本体ケース７に収納した回路基板１２がケース開口部に十分に露出しており、端子ピン５ａや入出力端子４の端子ピンから下向きに曲げて引き出しているリードプレート２０の半田接続が容易にできる。
【００１８】
ケースカバー８は、カバー頭部８ａとカバーボディ部８ｂを備えたＴ型カバー形状を持ち、カバー頭部８ａには本体ケース７側に設けた一対の入出力端子４に対応して円筒状の入出力端子カバー部８ｃが両側に形成され、この入出力端子カバー部８ｃの間を段下げすることで、同軸ケーブルを通すための逃し用窪み１０を形成している。本体ケース７に対するケースカバー８の取付けは、本体ケース７のねじ穴２７に対しビス９をねじ込むことで行う。
【００１９】
本体ケース７とケースカバー８で構成される直列ユニット本体１の前面に着脱自在に設けられる端子台２は、背後に開口した箱型の枠体１４の内部に一対の端子部１５を形成しており、端子部１５には端子穴１６が開口され、この端子穴１６は本体ケース７の前面に突出している分岐端子５に挿入される。また端子台２の内側中央部には一対の係合爪１７が起立しており、本体ケース７のケースボディ部７ｂの両側に設けた端子台係合部１１に係合して、端子台２を直列ユニット本体１側に組付け固定する。
【００２０】
更に枠体１４の内側のコーナ部４カ所には係合ピン１９が突出されている。この係合ピン１９に対応して本体ケース７の取付耳部６の付け根部分に係合穴１３が設けられており、係合穴１３に端子台２側の係合ピン１９が入り込んで、本体ケース７に対する端子台２の位置決めができる。更に端子台２における枠体１４の両側面の上下２カ所には、ワイドプレート係合溝１８が形成されており、図１２のようなワイドプレートを使用した直列ユニットの取付け時に、後の説明で明らかにするワイドプレート対応化粧カバーをその係合爪により組み付けることができる。
【００２１】
図３は、本発明で用いる直列ユニット本体１を前面側から見た正面図である。直列ユニット本体１の前面側には本体ケース７が位置し、本体ケース７の２カ所に分岐端子５が一体に設けられている。また本体ケース７の両端には取付耳部６が一体に形成され、取付耳部６の付け根部分となる４カ所に、図２の端子台２の係合ピン１９を嵌め入れる係合穴１３が設けられている。また本体ケース７のケースボディ部７ｂの両側には一対の端子台係合部１１が形成されている。
【００２２】
図４は、本発明の直列ユニットで用いる直列ユニット本体１を背後から見た背面図であり、この背面側には直列ユニット本体１のケースカバー８が位置している。ケースカバー８はビス９により前部に位置する本体ケース７に取り付けられており、入出力端子４に対応して設けた入出力端子カバー部８ｃの間には、入出力端子４に同軸ケーブルを接続する中心線方向と平行に、同軸ケーブルを通すための逃し用窪み１０が形成されている。
【００２３】
図５は、図４の直列ユニット本体１のケースカバー８を取り外した状態の背面図である。ケースカバー８を取り外すことにより本体ケース７が後方に開口し、この本体ケース７の中にＴ型の回路基板１２が収納されている。回路基板１２は、ケース前部に図３のように配置した一対の分岐端子５の背後に突出している端子ピン５ａを貫通して半田接続している。また本体ケース７のケース頭部７ａに設けている入出力端子４の端子ピンより背後にリードプレート２０を引き出しており、リードプレート２０は回路基板１２側に湾曲して挿入された状態で半田接続されている。
【００２４】
更に本体ケース７の内側には、例えば図２の本体ケース７から明らかなように、接地ピン２８が複数本起立しており、この接地ピン２８についても、図５のように回路基板１２の接地パターンに対し半田接続している。この実施形態にあっては、接地ピン２８の半田接続は、Ｔ型回路基板１２のＴ型頭部側の５カ所及びＴ型ボディ部の３カ所で行われている。
【００２５】
図６は、本発明の直列ユニット本体１に対し同軸ケーブルを入出力接続したときのケーブル引き回し状態の説明図である。図６（Ａ）は直列ユニット本体１の後方から見たケーブル引き回し状態であり、例えば設置状態で上部となる左側より同軸ケーブル２１，２２を引き込み、逃し用窪み１０の間を通した後に上方に屈曲し、Ｆ型接栓２３，２４により入出力端子４に接続固定している。
【００２６】
図６（Ｂ）は図６（Ａ）の側面図であり、本体ケース７とケースカバー８で構成されたＴ型収納ケース３のＴ型頭部３ａの中央を通る逃し用窪み１０を通して同軸ケーブル２２が引き込まれている。更に図６（Ｃ）は、図６Ｂ）の右側から見た端面図であり、本体ケース７に一体に形成した入出力端子４に位置する入出力端子カバー部８ｃの間に逃し用窪み１０が形成され、その中を同軸ケーブル２１，２２が通過している。
【００２７】
この図６のような直列ユニット本体１の背後に設けた逃し用窪み１０により、入出力端子４に接続するケーブル引き回しスペースが十分に確保でき、例えば奥行きが２５ｍｍと狭い薄型のアウトレットボックスへの取付けも容易に行うことができる。図７は、ワイドプレートに対応した本発明の直列ユニットの実施形態である。図１１の従来例のように、アウトレットボックスに対しワイドプレートを使用して本発明の直列ユニットを取り付ける場合には、図７のように直列ユニット本体１と端子台２に加え、ワイドプレート対応化粧カバー２４を使用する。
【００２８】
直列ユニット本体１及び端子台２は、図２の実施形態と同じである。ワイドプレート対応化粧カバー２４は、図１２のワイドプレートの取付けに使用する化粧カバーに対応したサイズのカバー本体２４ａを有し、カバー本体２４ａに分岐端子を取り出すための端子穴２５を開口し、更にワイドプレート対応化粧カバー２４を端子台２に着脱自在に装着するための係合爪２６を端子穴２５の両側にそれぞれ起立させている。
【００２９】
ワイドプレート対応化粧カバー２４の係合爪２６に対応して、端子台２における枠体１４の側面にはカバー係合溝１８が形成されており、このカバー係合溝１８に係合爪２６を係合させることで、端子台２に対しワイドプレート対応化粧カバー２４を組み付けることができる。このようにワイドプレート対応の直列ユニットにあっては、直列ユニット本体１、端子台２及びワイドプレート対応化粧カバー２４の３部品でよく、図１２の従来例における市販の取付枠は不要となり、その分、部品点数が減ってコストダウンとなり、またワイドプレートを使用した直列ユニットの取付作業も容易にできる。尚、図７のワイドプレートを使用した直列ユニットの取付構造の実施形態にあっては、端子台２とワイドプレート対応化粧カバー２４を別部品としているが、端子台２とワイドプレート対応化粧カバー２４を一体に形成してもよい。
【００３０】
この図７のワイドプレートを使用した直列ユニットの取付構造の実施形態にあっては、図１３のように市販のワイド用取付枠１２８を使用しないことから、市販のワイド用取付枠を直列ユニットに嵌合するために行っている図１４の取付耳部１０９の取外しが不要である。このため本発明の直列ユニット本体１にあっては、Ｔ型収納ケース３に対し取付耳部６を一体に形成できる。
【００３１】
このように取付耳部６がＴ型収納ケース３に一体に形成されたことで、従来のワイドプレートを使用した直列ユニット取付構造のように、直列ユニット本体１の取付耳部６を着脱自在な構造とする必要がなく、その分、直列ユニット本体１の構造が簡単となり、コストダウンが図れる。もちろん、ワイドプレートを使用した取付時に取付耳部６を取り外す作業を必要としないため、その分、取付作業も容易になる。
【００３２】
尚、上記の実施形態は、直列ユニット本体１に一対の入出力端子４を設けた場合を例にとっているが、終端に位置する直列ユニットについては１つの入出力端子でよく、例えば図１の直列ユニット本体１に設けている２つの入出力端子４のいずれか一方を取り除き、盲蓋を形成すればよい。また上記の実施形態は、図３から明らかなように、直列ユニット本体１の前面に分岐端子５を２つ設けた場合を例にとっているが、分岐端子５の数も必要に応じて適宜に定めることができる。
【００３３】
また、本実施の形態にあっては、本体ケース７の前面に端子台２を直に取り付ける構成であったが、これに限らず、図１０のように取付枠１０２を介して端子台１０３を本体ケース１０６の前面に取り付ける構成でも本発明を適用することができる。
【００３４】
以上説明してきたように本発明によれば、直列ユニット本体のケース開口部に対し回路基板が浅い露出位置となるように収納ケースを本体ケースとケースカバーに奥行き方向に分割したことで、ケースカバーを外した状態で回路基板が本体ケースの開口部のすぐ近くに位置し、回路基板の半田接続の作業が極めて容易にできる。
【００３５】
更に、本発明の直列ユニット本体の収納ケースは、Ｔ型収納ケースとＴ型ケースボディ部を連接したＴ型収納ケースであり、入出力端子が両側に位置するＴ型頭部の背面中央部に入出力端子に接続する同軸ケーブルを通すための逃し用窪みを形成したため、アウトレットボックスに対する直列ユニットの組付け状態で直列ユニットの背後に十分な同軸ケーブルを引き回すためのスペースを確保することができ、薄型タイプのアウトレットボックスを使用した取付けであっても、十分なケーブル引き回しスペースが確保され、容易に取り付けることができる。
【図面の簡単な説明】
【００３６】
【図１】標準プレートの取付けに使用する本発明の実施形態の説明図
【図２】図１の組立分解図
【図３】図１の直列ユニット本体の正面図
【図４】図１の直列ユニット本体の背面図
【図５】図１の直列ユニット本体のカバーを外した背面図
【図６】入出力端子に接続する同軸ケーブルの引き回し状態の説明図
【図７】ワイドプレートの取付け使用する本発明の実施形態の説明図
【図８】従来の直列ユニットを前面から見た説明図
【図９】従来の直列ユニットを背後から見た説明図
【図１０】従来の直列ユニットの組立分解図
【図１１】標準プレートを使用した従来の直列ユニットの取付構造の説明図
【図１２】ワイドプレートを使用した従来の直列ユニットの取付構造の説明図
【図１３】直列ユニットからの取付耳部の取外し作業の説明図
【図１４】市販の取付枠の取付作業の説明図
【符号の説明】
【００３７】
１：直列ユニット本体
２：端子台
３：Ｔ型収納ケース
３ａ：Ｔ型頭部
３ｂ：Ｔ型ボディ部
４：入出力端子
４ａ，５ａ：端子ピン
６：取付耳部
７：本体ケース
７ａ：ケース頭部
７ｂ：ケースボディ部
８：ケースカバー
８ａ：カバー頭部
８ｂ：カバーボディ部
８ｃ：入出力端子カバー部
９：ビス
１０：逃し用窪み
１１：端子台係合部
１２：回路基板
１３：係合穴
１４：枠体
１５：端子部
１６：端子穴
１７，２６：係合爪
１８：ワイドプレート係合溝
１９：係合ピン
２０：リードプレート
２１，２２：同軸ケーブル
２４：ワイドプレート対応化粧カバー
２５：係合穴
２７：ネジ穴
２８：接地ピン
【図１】
2008181875.tif 000003
【図２】
2008181875.tif 000004
【図３】
2008181875.tif 000005
【図４】
2008181875.tif 000006
【図５】
2008181875.tif 000007
【図６】
2008181875.tif 000008
【図７】
2008181875.tif 000009
【図８】
2008181875.tif 000010
【図９】
2008181875.tif 000011
【図１０】
2008181875.tif 000012
【図１１】
2008181875.tif 000013
【図１２】
2008181875.tif 000014
【図１３】
2008181875.tif 000015
【図１４】
2008181875.tif 000016